(57)【特許請求の範囲】
【請求項１】
ベースと、前記ベースに取り付けるレドームからなるアンテナケースにおいて、
前記ベースは外周部にＵ字型の板バネを有し、
前記レドームは内壁に突起部を有し、
前記板バネは、湾曲部を境として、端部が前記ベースに固定される固定部と、端部が開放され弾性力により前記レドームの内壁に圧接する開放部とからなり、前記開放部に前記レドームの前記突起部と係合し、前記ベースと前記レドームを固定する係止部が設けられたことを特徴とするアンテナケース。
【請求項２】
前記レドームの前記突起部の両側に、前記板バネの幅方向に対応するガイドを設けたことを特徴とする、請求項１に記載のアンテナケース。
【請求項３】
前記板バネの前記開放部の先端に、前記レドームの内壁との間に隙間を有する突出部を設けたことを特徴とする、請求項１または２に記載のアンテナケース。
【請求項４】
前記板バネの前記開放部の先端に、前記レドームの内壁との間に隙間を有する欠損部を設けたことを特徴とする、請求項１または２に記載のアンテナケース。
【発明の詳細な説明】
【０００１】
【発明の属する技術分野】
本発明はアンテナケース、特にＧＰＳアンテナに用いられるアンテナケースに関する。
【０００２】
【従来の技術】
ＧＰＳアンテナにおいては、ベースに搭載されたアンテナモジュールの保護のために、ベースの上にレドームを装着する。図８に、従来のＧＰＳアンテナに用いられるアンテナケースの例を示す。図８はアンテナケースを裏側から見た図である。
【０００３】
図８において、ベース１３には穴１３ａが設けられ、樹脂製のレドーム１４にもネジボス１４ａが設けられている。なお、穴１３ａはネジ１５の通過する穴であり、ネジボス１４ａはネジ１５のネジ部よりも径の小さい穴である。
【０００４】
ここで、ベース１３はレドーム１４に載せられ、穴１３ａを通してネジボス１４ａでネジ１５をネジ込む。レドーム１４は柔らかい樹脂でできているため、ネジボス１４ａの内部にネジが切られて締め付けられ、ベース１３にレドーム１４が固定される。
【０００５】
【発明が解決しようとする課題】
しかしながら、上記のアンテナケースではベースとレドームのネジ止めを行うため、ネジ止めに要する作業時間が長く必要となり、またネジのコストも必要となる。また、レドームが樹脂でできているため、一度ネジ止めしたものを外すとネジボスがつぶれ、信頼性がなくなり、再度同じレドームをネジ止めするということができなくなる。
【０００６】
本発明は上記の問題点を解決することを目的とするもので、低コストで再利用の可能なアンテナケースを提供する。
【０００７】
【課題を解決するための手段】
上記目的を達成するために、本発明のアンテナケースは、ベースと、前記ベースに取り付けるレドームからなるアンテナケースにおいて、
前記ベースは外周部にＵ字型の板バネを有し、
前記レドームは内壁に突起部を有し、
前記板バネは、湾曲部を境として、端部が前記ベースに固定される固定部と、端部が開放され弾性力により前記レドームの内壁に圧接する開放部とからなり、前記開放部に前記レドームの前記突起部と係合し、前記ベースと前記レドームを固定する係止部が設けられたことを特徴とする。
【０００８】
また、本発明のアンテナケースは、前記レドーム前記突起部の両側に、前記板バネの幅方向に対応するガイドを設けたことを特徴とする。
【０００９】
また、本発明のアンテナケースは、前記板バネの前記開放部の先端に突出部を設け、
前記突出部は、前記レドームの内壁との間に隙間を有することを特徴とする。
【００１０】
また、本発明のアンテナケースは、前記板バネの前記開放部の先端に、前記開放部の先端から前記板バネの外側に向けて、前記レドームの内壁との間に隙間を有する欠損部を設けたことを特徴とする。
【００１１】
このように構成することによって、本発明のアンテナケースはベースとレドームの低コストでの装着を実現し、またレドームの再利用も可能となる。
【００１２】
【発明の実施の形態】
図１に、本発明のアンテナケースの一実施例を示す。図１において、アンテナケースはベース１とレドーム２から構成される。ベース１には、対向する２つの辺にそれぞれ２つのＵ字状の板バネ３が設けられている。また、レドーム２の、ベース１の板バネ３に対応する部分には、各板バネ３に対応してそれぞれ２つの突起部４と一対のガイド５が設けられている。
【００１３】
図２に、ベース１の板バネ３の部分と、板バネ３に対応するレドーム２の突起部４とガイド５の部分を拡大したものを示す。また、図３にベース１とレドーム２を板バネ３の方向から見たものを示す。図２および図３で、図１と同一の部分には同じ記号を付し、説明は省略する。
【００１４】
図２において、ベース１の板バネ３は、湾曲部３ａを境に、端部がベース１に固定される固定部３ｂと、端部が何にも接続されない（開放される）開放部３ｃとから構成される。板バネ３は弾性を有しており、固定部３ｂと開放部３ｃの間隔は、湾曲部３ａを支点として拡げたり狭めたりすることができる。また、開放部３ｃの端部の中央部には突出部３ｄが設けられている。突出部３ｄは、レドーム２が装着されたときに、突出部３ｄとレドーム２の内壁との間に隙間ができるように、レドーム２に向けて固定部３ｂ側から傾斜がつけられている。そして、開放部３ｃの端部の、突出部３ｄの両側は平坦に形成された係止部３ｅとなっている。
【００１５】
一方、レドーム２においては、図２および図３に示すように、ベース１に設けられた板バネ３の２か所の係止部３ｅに係合するために、内壁の板バネ３の係止部３ｅに対応する位置に、２個の突起部４が設けられている。また、突起部４の両側には、ベース１の板バネ２を両側から位置決めし、導くために、板バネ２の幅方向に対応してガイド５が設けられている。
【００１６】
ここで、図４に、ベース１とレドーム２を図３のＡ−Ａ断面で切断して右側から見た図を示し、これを参考にベース１へのレドーム２の装着のプロセスを説明する。また参考のために、図５に、ベース１にレドーム２を装着した状態における板バネ３の周辺部の状態を、レドーム２の内側下部から見た様子を示す。図４および図５で、図２と同一の部分には同じ記号を付し、その説明は省略する。図４において、（ａ）はレドーム２をベース１に装着する前の状態を、（ｂ）は装着途中の状態を、（ｃ）は装着後の状態を示している。
【００１７】
図４（ａ）に示すように、ベース１の板バネ３の部分の外寸は、レドーム２の突起部４やガイド５が設けられた部分の内寸に対して、少し大きくなるように構成されている。この状態でレドーム２をベース１の上部から下ろしてくると、図４（ｂ）に示すように、板バネ３は突起部４に外側から押される形になり、固定部３ｂと開放部３ｃの間隔が狭くなる。そのままさらにレドーム２を下ろすと、図４（ｃ）に示すように、板バネ３が突起部４より奥の方に入り込み、突起部４が板バネ３の開放部３ｃから外れる。このとき、板バネ３の固定部３ｂと開放部３ｃの間隔は、レドーム２を装着する前の間隔より狭いため、開放部３ｃがレドーム２の内壁に圧接する。また同時に、板バネ３の開放部３ｃの端部に形成された係止部３ｅが、レドーム２の内壁に設けられた突起部４と上下方向で係合し、レドーム２がベース１から外れないように固定される。このようにしてレドーム２をベース１に簡単に装着することができる。
【００１８】
なお、このとき板バネ３はレドーム２の内壁に設けられた２つのガイド５に挟まれる形で装着され、係合する。このようにガイド５が設けられていることにより、ベース１とレドーム２との装着時の位置決めが容易になり、レドーム２が不透明で、板バネ３が作業者からみてブラインドになっていても、正確に装着することができる。
【００１９】
図６に、ベース１からレドーム２を外すときの状態を図４と同様の断面図で示す。図６で、図２と同一の部分には同じ記号を付し、その説明は省略する。図６において、（ａ）はレドーム２をベース１から外す前の状態を、（ｂ）は外す途中の状態を、（ｃ）は外した後の状態を示している。
【００２０】
図６（ａ）に示すように、ベース１とレドーム２は、ベース１に設けられた板バネ３の開放部３ｃとレドーム２の内壁との圧接と、板バネ３の係止部３ｅとレドーム２の内壁に設けられた突起部４との係合によって外れなくなっている。ここで、図６（ｂ）に示すように、板バネ３の開放部３ｃの端部に設けられた突出部３ｄとレドーム２の内壁との隙間にドライバー６のようなものを当てて、板バネ３の開放部３ｃに、固定部３ｂとの間隔が狭くなるように力を加える。これによって、板バネ３の開放部３ｃとレドーム２の内壁との圧接がなくなり、また、板バネ３の係止部３ｅとレドーム２に設けられた突起部４との係合が外れる。これによって、図６（ｃ）に示すように、レドーム２をベース１から外すことができる。この場合、ベース１とレドーム２のいずれにおいても破損したり永久に変形したりする部分はなく、何度でもベース１にレドーム２を装着したり外したりすることができ、レドーム２の再利用が可能となる。しかも、すべての係合部において同時に取り外さなければならないため、専用の治具などを必要とし、衝撃などに対して簡単には分解しにくい。
【００２１】
図７に、本発明のアンテナケースの別の実施例を示す。図７はベースの板バネと、これに対応するレドームの部分を示している。図７で、図２と同一の部分には同じ記号を付し、その説明は省略する。図７では、Ｕ字状の板バネ７の部分のみが図２の実施例とは異なっている。
【００２２】
図７において、板バネ７は、湾曲部７ａを境に、端部がベース１に固定される固定部７ｂと、端部が開放される開放部７ｃとから構成される。板バネ７は弾性を有しており、固定部７ｂと開放部７ｃの間隔は、湾曲部７ａを支点として拡げたり狭めたりすることができる。また、開放部７ｃの端部の中央部には欠損部７ｄが設けられている。欠損部７ｄは、レドーム２が装着されたときに、欠損部７ｄのところにおいて板バネ７の開放部７ｃとレドーム２の内壁との間に隙間ができるように、開放部７ｃのレドームに接する側に設けられている。そして、開放部７ｃの端部の、欠損部７ｄの両側は平坦に形成された係止部７ｅとなっている。
【００２３】
ここで、ベース１にレドーム２を装着すると、欠損部７ｄのところにおいて、板バネ７の開放部７ｃとレドーム２の内壁との間に隙間ができる。これは図６における突出部３ｄとレドーム２の内壁との隙間と同じ働きをし、ここにドライバーなどを当てて、板バネ７の開放部７ｃと固定部７ｂとの間隔を狭くすることにより、簡単にレドーム２をベース１から外すことができる。
【００２４】
【発明の効果】
本発明のアンテナケースによれば、端部に係止部の形成されたＵ字状の板バネをベースの外周部に設け、レドームの内壁に板バネの係止部と係合する突起部を設けることにより、簡単に低コストでベースにレドームを装着することができる。
【００２５】
また、レドームの内壁に板バネを両側から挟んで導くガイドを設けることにより、板バネの部分が作業者のブラインドになっても、正確にベースへのレドームの装着を行うことができる。
【００２６】
さらに、板バネの開放部の端部に突出部や欠損部を設けることにより、簡単にレドームをベースから外し、何度でもベースに対するレドームの装着や取り外しを行うことができるにもかかわらず、取り外しには専用の治具などが必要で、衝撃などに対して簡単には分解しにくい。
【図面の簡単な説明】
【図１】本発明のアンテナケースの一実施例を示す分解斜視図である。
【図２】図１に示すアンテナケースの、ベースの板バネの部分とこれに対応するレドームの部分の分解斜視図である。
【図３】図１に示すアンテナケースを、板バネの方向から見た図である。
【図４】図１に示すアンテナケースの、ベースとレドームの装着のプロセスを示す断面図で、（ａ）はレドームをベースに装着する前の状態を、（ｂ）は装着途中の状態を、（ｃ）は装着後の状態を示している。
【図５】図１に示すアンテナケースの、ベースの板バネの部分とこれに対応するレドームの部分の装着後の斜視図である。
【図６】図１に示すアンテナケースの、ベースとレドームの取り外しのプロセスを示す断面図で、（ａ）はレドームをベースから外す前の状態を、（ｂ）は外す途中の状態を、（ｃ）は外した後の状態を示している。
【図７】本発明のアンテナケースの別の実施例を示す分解斜視図である。
【図８】従来のアンテナケースの例を示す分解斜視図である。
【符号の説明】
１…ベース
２…レドーム
３…板バネ
４…突起部
５…ガイド
【図１】
0003596215.tif 000002
【図２】
0003596215.tif 000003
【図３】
0003596215.tif 000004
【図４】
0003596215.tif 000005
【図５】
0003596215.tif 000006
【図６】
0003596215.tif 000007
【図７】
0003596215.tif 000008
【図８】
0003596215.tif 000009